(57)【要約】【課題】  折畳みテーブルとしての機能を損ねることなく、構造簡単にして円滑に折畳み操作（動作）し得る折畳みテーブルを提供することを課題とする。【解決手段】  中央部から左右に分割形成された左右の天板２A、２Bと、該左右の天板の下面に対しそれぞれ垂下状に装設された一対の脚部３Ａ、３Ｂとからなる折畳みテーブル１であって、左右の天板２A、２Bの下方には、一端が脚部３Ａ、３Ｂに連接されかつ他端が該天板２A、２Bの互いに向い合う端面側に延出された左右の連結扣棒６をそれぞれ相対向状に設け、左右の天板２A、２Bの向い合う端面側には、クロス状に組まれその重合部が回動可能に支承された扣腕杆１０を配置するとともに、扣腕杆１０のそれぞれの一端を該左右の天板の端面側下部に軸支しかつそれぞれの他端を左右の連結扣棒の他端に軸支し、扣腕杆と左右の天板２A、２Bとの軸支部または扣腕杆１０と左右の連結扣棒６との軸支部に対し互いに噛合された一対の駆動歯車１４をそれぞれ同軸上に設ける。【選択図】  図５
2007130308.tif 000002
【特許請求の範囲】
【請求項１】
中央部から左右に分割形成された左右の天板と、該左右の天板の下面に対しそれぞれ垂下状に装設された一対の脚部とからなる折畳みテーブルであって、
前記左右の天板の下方には、一端が前記脚部に連接されかつ他端が該天板の互いに向い合う端面側に延出された左右の連結扣棒をそれぞれ相対向状に設け、
前記左右の天板の向い合う端面側には、クロス状に組まれその重合部が回動可能に支承された扣腕杆を配置するとともに、該扣腕杆のそれぞれの一端を該左右の天板の端面側下部に軸支しかつそれぞれの他端を前記左右の連結扣棒の他端に軸支し、
前記扣腕杆と左右の天板との軸支部または扣腕杆と左右の連結扣棒との軸支部に対し互いに噛合された一対の駆動歯車をそれぞれ同軸上に設けたことを特徴とする折畳みテーブル。
【請求項２】
請求項１記載の折畳みテーブルであって、
前記左右の天板における左右の連結扣棒自体または該連結扣棒のほぼ全長にわたって棚部部材を組付けて該左右の天板の下方に棚部をそれぞれ形成してなることを特徴とする折畳みテーブル。
【請求項３】
請求項１または２記載の折畳みテーブルであって、
前記扣腕杆の重合部における支承軸にロックナットが螺合されたネジ部を形成し、このロックナットは、前記ネジ部に対する螺進時に扣腕杆の側面に圧接されて該扣腕杆の回動を阻止するとともに螺退時に扣腕杆の側面への圧接を解かれて該扣腕杆の回動を許容するように構成されていることを特徴とする折畳みテーブル。
【請求項４】
請求項１または２記載の折畳みテーブルであって、
前記一対の駆動歯車のうち、いずれか一方の駆動歯車の軸部を前記扣腕杆の外方に突出し、該突出部にロックナットが螺合されたネジ部を形成し、このロックナットは、前記ネジ部に対する螺進時に扣腕杆の側面に圧接されて該扣腕杆の回動を阻止するとともに螺退時に扣腕杆の側面への圧接を解かれて該扣腕杆の回動を許容するように構成されていることを特徴とする折畳みテーブル。
【請求項５】
請求項３または４記載の折畳みテーブルであって、
ロックナットに回動操作用のレバーを設けるとともに、前記ネジ部におけるネジピッチを少なくとも該ネジ部に対してロックナットがほぼ１／４回転する角度で前記扣腕杆の側面への圧接及び圧接解離する寸法に設定されていることを特徴とする折畳みテーブル。  
【発明の詳細な説明】
【技術分野】
【０００１】
本発明は、天板が中央部より垂立状に折畳み可能に構成された折畳みテーブルに関するものである。
【背景技術】
【０００２】
従来、この種の折畳みテーブルにおいては、該テーブルを構成する天板を中央部より左右の分離し、該分離された左右の天板を山折り状或いは谷折り状に折畳むことができる構造を採用したものが種々案出されているが、いずれの構造のものにあっても、左右の天板の回動（傾動）を許容するように脚部をそれぞれ設け、この左右側がともに連結された状態で左右の天板を種々の複数組のリンク機構（手段）を介して折畳みように構成されていた。（例えば、特許文献１参照）
【特許文献１】実公平５−１１７６６号
【発明の開示】
【発明が解決しようとする課題】
【０００３】
しかしながら、上記した従来の構造のものにあっては、左右の天板を折畳む構成として種々の複数組のリンク機構（手段）を採用しているため、その構成が複雑となり折畳み操作（動作）の円滑化に欠けるものとなり、また、該天板の下方のスペースを占有してしまいテーブルとしての使用状態に不便さを伴うものであり、折畳みテーブルとしてその機能を満足することができなかった。
そこで、本発明は、折畳みテーブルとしての機能を損ねることなく、構造簡単にして円滑に折畳み操作（動作）し得る折畳みテーブルを提供することを課題とする。
【課題を解決するための手段】
【０００４】
上記した課題は、各請求項記載の発明によって解決される。
すなわち、請求項１記載の発明は、中央部から左右に分割形成された左右の天板と、該左右の天板の下面に対しそれぞれ垂下状に装設された一対の脚部とからなる折畳みテーブルであって、
前記左右の天板の下方には、一端が前記脚部に連接されかつ他端が該天板の互いに向い合う端面側に延出された左右の連結扣棒をそれぞれ相対向状に設け、
前記左右の天板の向い合う端面側には、クロス状に組まれその重合部が回動可能に支承された扣腕杆を配置するとともに、該扣腕杆のそれぞれの一端を該左右の天板の端面側下部に軸支しかつそれぞれの他端を前記左右の連結扣棒の他端に軸支し、
前記扣腕杆と左右の天板との軸支部または扣腕杆と左右の連結扣棒との軸支部に対し互いに噛合された一対の駆動歯車をそれぞれ同軸上に設けたことを要旨とする。
【０００５】
この構成によれば、左右の天板の折畳み操作（動作）に際し、一方側（例えば、左側）の天板を、扣腕杆の重合部の支承部を中心として互いに向い合う端面が上方に突き上げられた状態で内側方向に垂立状に回動（傾動）すると、当該天板の回動（傾動）に伴って、扣腕杆のクロス状の間隔が狭められる方向の回動され、当該天板側の連結扣棒も同状態で回動（傾動）されるので、この天板及び連結扣棒の内側方向への垂立状態の回動（傾動）に追随して他方側（例えば、右側）の天板及び連結扣棒が互いに向い合う端面が上方に突き上げられた状態で内側方向に垂立状に回動（傾動）される。これによって、左右の天板を、その互いに向い合う端面がそれぞれ上方に向けた垂立状態に同時に折畳むことができる。
そして、この左右の天板の折畳み操作（動作）に際し、扣腕杆と左右の天板との軸支部または扣腕杆と左右の連結扣棒との軸支部上に設けられた一対の駆動歯車が互いに噛合されているため、一方側の天板の回動（傾動）が他方側の天板の回動（傾動）として確実に伝達され、その両者の同時回動（傾動）動作を円滑かつ確実になし得るものである。
【０００６】
請求項２記載の発明は、請求項１記載の折畳みテーブルであって、
前記左右の天板における左右の連結扣棒自体または該連結扣棒のほぼ全長にわたって棚部部材を組付けて該左右の天板の下方に棚部をそれぞれ形成してなることを要旨とする。
【０００７】
この構成によれば、左右の天板の折畳み動作を阻害することなく、それぞれの天板下方に棚部を簡単に構成することができる。
【０００８】
請求項３記載の発明は、請求項１または２記載の折畳みテーブルであって、
前記扣腕杆の重合部における支承軸にロックナットが螺合されたネジ部を形成し、このロックナットは、前記ネジ部に対する螺進時に扣腕杆の側面に圧接されて該扣腕杆の回動を阻止するとともに螺退時に扣腕杆の側面への圧接を解かれて該扣腕杆の回動を許容するように構成されていることを要旨とする。
【０００９】
この構成によれば、ロックナットをネジ部に対して螺進することによって、扣腕杆の側面に圧接されて該扣腕杆の回動を阻止し、また、螺退することによって、扣腕杆の側面への圧接が解かれて該扣腕杆の回動を許容するもので、そのロックナットにより左右の天板の折畳み状態及び展開状態を確実に保持することができるものである。
【００１０】
請求項４記載の発明は、請求項１または２記載の折畳みテーブルであって、
前記一対の駆動歯車のうち、いずれか一方の駆動歯車の軸部を前記扣腕杆の外方に突出し、該突出部にロックナットが螺合されたネジ部を形成し、このロックナットは、前記ネジ部に対する螺進時に扣腕杆の側面に圧接されて該扣腕杆の回動を阻止するとともに螺退時に扣腕杆の側面への圧接を解かれて該扣腕杆の回動を許容するように構成されていることを要旨とする。
【００１１】
この構成によれば、請求項３記載の発明と同様に、ロックナットをネジ部に対して螺進することによって、扣腕杆の側面に圧接されて該扣腕杆の回動を阻止し、また、螺退することによって、扣腕杆の側面への圧接が解かれて該扣腕杆の回動を許容するもので、そのロックナットにより左右の天板の折畳み状態及び展開状態を確実に保持することができるものである。
【００１２】
請求項５記載の発明は、請求項３または４記載の折畳みテーブルであって、
ロックナットに回動操作用のレバーを設けるとともに、前記ネジ部におけるネジピッチを少なくとも該ネジ部に対してロックナットがほぼ１／４回転する角度で前記扣腕杆の側面への圧接及び圧接解離する寸法に設定されていることを要旨とする。
【００１３】
この構成によれば、左右の天板における折畳み及び展開動作に際し、ロックナットによる扣腕杆の回動の阻止状態及びその回動の許容状態を簡単に視認して確認することができ、該左右の天板の折畳み操作及び展開操作を円滑かつ確実になし得るものである。
【発明の効果】
【００１４】
請求項１記載の発明によれば、左右の天板における折畳み及び展開動作に際し、その折畳み及び展開時の同時の回動（傾動）動作を円滑かつ確実に行うことができる。        
【００１５】
請求項２記載の発明によれば、左右の天板の折畳み動作を阻害することなくそれぞれの天板下部に棚部を簡単に構成することができる。
【００１６】
請求項３記載の発明によれば、ロックナットによって、左右の天板の折畳み状態及び展開状態を確実に保持することができる。
【００１７】
請求項４記載の発明によれば、請求項３記載の発明と同様に、左右の天板の折畳み状態及び展開状態を確実に保持することができる。
【００１８】
請求項５記載の発明によれば、ロックナットによる扣腕杆の回動の阻止状態及びその回動の許容状態を簡単に視認して確認することができ、該左右の天板の折畳み操作及び展開操作を円滑かつ確実になし得る。
【発明を実施するための最良の形態】
【００１９】
次に、本発明を実施するための最良の形態について、実施例にしたがって説明する。
【実施例】
【００２０】
図１〜図８に示すように、本実施例の折畳みテーブル１は、大別すると、左右の天板２Ａ、２Ｂと、該天板２Ａ、２Ｂの下面ほぼ中央部の両側に設けられた一対の脚部３Ａ、３Ｂとから構成されている。この天板２Ａ、２Ｂは、所定の厚さのほぼ長方形の矩形状にそれぞれ形成されており、その展開状態において互いに向い合う端面を接し合うように上面が同一平面上に位置されるものである。
【００２１】
前記脚部３Ａ、３Ｂは、それぞれ下端のほぼコ字状の水平杆４ａと、該水平杆４ａのほぼ両端部から直角状に垂立された２本の脚杆４ｂ、４ｂと、さらに前記水平杆４ａの両端片下面側に取付けられたキャスター状の車輪４ｃ、４ｃとから構成されており、前記左右の天板２Ａ、２Ｂの下面に対しその脚杆４ｂ、４ｂの上端が取付けブラケット５、５に対して支軸７、７を介して回動（傾動）可能にそれぞれ装設されている。
【００２２】
そして、左右の天板２Ａ、２Ｂの下方の両側縁部側には比較的長尺の左右の連結扣棒（連結リンク棒）６〜６が２本ずつ相対向状に配置されており、この左右の連結扣棒６〜６のほぼ後端部が前記脚部３Ａ、３Ｂにおける２本の脚杆４ｂ、４ｂのほぼ上部に対して支軸８、８を介して回動（傾動）可能に遊嵌状態で軸支され、その先端部が該左右の天板２Ａ、２Ｂの互いに向い合う端面側に延出されている。
【００２３】
また、前記左右の天板２Ａ、２Ｂの向い合う端面側の下面ほぼ両側には、軸受け状の取付けブラケット９〜９がそれぞれ２箇所ずつ装設され、それぞれ後述する支承軸１２、１２が回動可能に横架されている。
【００２４】
２本の腕杆１０ａ、１０ｂがほぼクロス状（Ｘ状）にそれぞれ組まれた扣腕杆（リンク腕杆）１０、１０は、その重合部が支承軸１１、１１を介して回動可能に支承されており、その一方の腕杆１０ａの上端部が前記左の天板２Aにおける取付けブラケット９、９に横架された支軸１２、１２の両端部に傾動（傾動）可能にそれぞれ軸支されるとともに、下端部が右の連結扣棒６の先端部に横架された支軸１３、１３の両端部に対し傾動（傾動）可能にそれぞれ軸支されている。また、該扣腕杆（リンク腕杆）１０、１０における他方の腕杆１０ｂの上端部が前記一方の腕杆１０ａと同様に、右の天板２Ｂにおける取付けブラケット９、９に横架された支軸１２、１２の両端部に対し傾動（傾動）可能にそれぞれ軸支されるとともに、下端部が左の連結扣棒６の先端部に横架された支軸１３、１３の両端部に対し傾動（傾動）可能にそれぞれ軸支されている。
これによって、左の天板２Ａ及び左の連結扣棒６側と右の天板２Ｂ及び右の連結扣棒６側とがクロス状（Ｘ状）に組まれた扣腕杆（リンク腕杆）１０、１０及び支軸１２、１３により、該両天板２Ａ、２Ｂが互いに向い合う端面を上方に突き上げた状態で内側方向に垂立状に折畳み可能及び水平状の展開可能に構成されるものである。
【００２５】
また、前記扣腕杆１０、１０と左右の天板２Ａ、２Ｂとを軸支する支軸１２、１２には前記扣腕杆１０、１０の内方に位置されかつ互いに噛合された一対の駆動歯車１４、１４が２組ずつそれぞれ同軸上に回動（傾動）可能に支承されるとともに、その端面の一部が前記左右の天板２Ａ、２Ｂに端部下面に対しブラケット１４ａ、１４ａを介して一体状に取付けられており、両天板２Ａ、２Ｂが互いに向い合う端面が上方に突き上げられた状態で内側方向に垂立状に折畳み回動及び水平状への展開回動に伴って該両天板２Ａ、２Ｂとともに変位して噛合しながら回動されるものである。
【００２６】
そして、前記一方側の扣腕杆１０における重合部の支承軸１１は、その腕杆１０ａの外方に突出され、該突出部にロックナット１５が螺合されたネジ部１６が形成されている。このロックナット１５は、前記ネジ部１６に対する螺進時に扣腕杆１０における腕杆１０ａの側面に圧接されて該扣腕杆１０の回動を阻止するとともに、その螺退時に扣腕杆１０における腕杆１０ａの側面への圧接が解かれて該扣腕杆１０の回動を許容するように構成されている。
【００２７】
前記ロックナット１５には回動操作用のレバー１７がそのボス部により該ロックナット１５外周部を抱持するように設けられており、前記ネジ部１６におけるネジピッチが少なくともネジ部１６に対してロックナット１５がほぼ１／４回転する角度で前記扣腕杆１０における腕杆１０ａの側面への圧接及び圧接解離する寸法に設定されており、また、ロックナット１５のレバー１７は、ロックナット１５に対し、該ロックナット１５が扣腕杆１０における腕杆１０ａの側面への圧接を解かれた状態では水平状に横方向を指向する位置にかつロックナット１５が扣腕杆１０における腕杆１０ａの側面に圧接された状態では垂下状に下方を指向する位置になるように設定して取付けられるものである。
【００２８】
本実施例の折畳みテーブル１は上述のように構成されたものであり、左右の天板２Ａ、２Ｂの折畳み操作（動作）に際し、一方側（例えば、左側）の天板２Ａを、扣腕杆１０の重合部の支承軸１１を中心として互いに向い合う端面が上方に突き上げられた状態で内側方向に垂立状に回動（傾動）すると、当該天板２Ａの回動（傾動）に伴って、扣腕杆１０がそのクロス状の間隔が狭められる方向の回動され、当該天板２Ａ側の連結扣棒６も同状態で回動（傾動）されるので、この天板２Ａ及び連結扣棒６の内側方向への垂立状態の回動（傾動）に追随して他方側（例えば、右側）の天板２Ｂ及び連結扣棒６が互いに向い合う端面を上方に突き上げられた状態で内側方向に垂立状に回動（傾動）される。（図３及び図５（ａ）参照）
これによって、左右の天板２Ａ、２Ｂを、その互いに向い合う端面がそれぞれ上方に向けられた垂立状態に同時に折畳むことができる。（図４及び図５（ｂ）参照）
【００２９】
そして、この左右の天板２Ａ、２Ｂの折畳み動作中、該左右の天板２Ａ、２Ｂにおけるそれぞれの脚部３Ａ、３Ｂは、該天板天板２Ａ、２Ｂに対する支軸７、７及び連結扣棒６〜６に対する支軸８〜８を介して回動可能に支承（支軸８〜８に対しては遊嵌状態）されているため、その車輪４ｃ、４ｃを設置面に接した状態で常に垂立状態が維持されるものである。（図３、４参照）
【００３０】
さらに、左右の天板２Ａ、２Ｂの折畳み操作（動作）に際し、扣腕杆１０と左右の天板２Ａ、２Ｂとの支軸１２上に設けられた各一対の駆動歯車１４、１４が、該左右の天板２Ａ、２Ｂとともに変位されかつ互いに噛合されているため、一方側の天板２Ａの回動（傾動）が確実に他方側の天板２Ｂに伝達され、その両者の同時回動（傾動）動作を円滑かつ確実になし得、左右の天板２Ａ、２Ｂの折畳み操作（動作）の円滑化及びその確動化を助長することができるものである。
【００３１】
そして、左右の天板２Ａ、２Ｂの折畳み状態から水平状に展開する場合には、上述とは逆動作により左右の天板２Ａ、２Ｂを簡単に展開することができる。この場合、脚部３Ａ、３Ｂの垂立状態及び各一対の駆動歯車１４、１４の噛合状態は、前記と同様に維持されるものである。
【００３２】
上記した左右の天板２Ａ、２Ｂの折畳み状態及び展開状態において、扣腕杆１０の重合部の支承軸１１に設けたロックナット１５のレバー１７を水平方向に指向する位置から垂下状に下方を指向する位置に１／４回動操作して該ロックナット１５を支軸１１のネジ部１６に対して螺進すると、該ロックナット１５が扣腕杆１０の腕杆１０ａの側面に圧接されて該扣腕杆１０の回動を阻止することができ、これによって、左右の天板２Ａ、２Ｂの折畳み状態及び展開状態を確実に保持することができる。（図７参照）
【００３３】
また、ロックナット１５のレバー１７を垂下状に下方を指向する位置から水平方向に指向する位置に前記とは逆に１／４回動操作して該ロックナット１５を支軸１１のネジ部１６に対して螺退すると、該ロックナット１５が扣腕杆１０の腕杆１０ａの側面への圧接を解かれて該扣腕杆１０の回動を許容することができ、これによって、左右の天板２Ａ、２Ｂの折畳み状態及び展開状態への回動（傾動）動作を簡単に行うことができる。（図８参照）
【００３４】
そして、ロックナット１５のレバー１７が垂下状に下方を指向する位置において扣腕杆１０の回動を阻止し、水平方向に指向する位置において該扣腕杆１０の回動を許容するように設定することにより、該レバーの指向する方向を視認するのみでロックナット１５による扣腕杆の回動の阻止状態及びその回動の許容状態を簡単に確認することができる。  
【００３５】
さらに、本実施例においては、左右の天板２Ａ、２Ｂにおける左右の連結扣棒６、６を該天板２Ａ、２Ｂの下方における棚部としてそれぞれ構成すること、また、左右の連結扣棒６、６のほぼ全長にわたって別の部材（図示しない）を組付けて棚部をそれぞれ形成することができるため、左右の天板２Ａ、２Ｂの折畳み動作を阻害することなくそれぞれの天板２Ａ、２Ｂの下方に棚部を簡単に構成することができる。
【００３６】
そして、上記した実施例においては、ロックナット１５を扣腕杆（リンク腕杆）１０、１０の重合部における支軸１１の一方側に形成した場合について説明したが、これに限定するものではなく、天板２Ａ、２Ｂ側と扣腕杆（リンク腕杆）１０、１０側との一つの支軸１２側に設けてもよく、また、連結扣棒（連結リンク棒）６と扣腕杆（リンク腕杆）１０、１０との一つの支軸１３側に形成してもよく、いずれも前述した実施例と同様に構成し得るものである。
【００３７】
さらに、上記した実施例においては、一対の駆動歯車１４、１４を天板２Ａ、２Ｂ側と扣腕杆（リンク腕杆）１０、１０側との支軸１２側に設けた場合について説明したが、これに限定するものではなく、図９及び図１０に示すように連結扣棒（連結リンク棒）６と扣腕杆（リンク腕杆）１０、１０との支軸１３に対し、該連結扣棒（連結リンク棒）６の近傍に回動可能に設けることができる。この場合においては、前述した実施例と同様に両天板２Ａ、２Ｂとともに変位して噛合しながら回動するように駆動歯車１４、１４の一部が連結扣棒（連結リンク棒）６と一体状に組付けられるものである。
【００３８】
また、扣腕杆（リンク腕杆）１０の構成も前述した形態に限定するものではなく、図１１に示す変形クロス状の形態に構成することもできる。
【図面の簡単な説明】
【００３９】
【図１】本発明の一実施例の形態を示す展開状態の正面図である。
【図２】同じく底面図である。
【図３】折畳み状態の途中を示す正面図である。
【図４】折畳み状態を示す正面図である。
【図５】（ａ）（ｂ）は、扣腕杆の関連回りの作動状態を示す説明図である。
【図６】ロックナットの関連を示す断面図である。
【図７】（Ａ）（Ｂ）は、ロックナットの折畳み途中の状態を示す作動説明図である。
【図８】（Ａ）（Ｂ）は、同じくロックナットの折畳み時の状態を示す作動説明図である。
【図９】駆動歯車の取付けの別例を示す一部破断の正面図である。
【図１０】同じく一部破断の正面図である。
【図１１】扣腕杆の別形態を示す一部破断の正面図である。
【符号の説明】
【００４０】
１  折畳みテーブル
２Ａ  左の天板
２Ｂ  右の天板
３Ａ  左の脚部
３Ｂ  右の脚部
６  連結扣棒
１０  扣腕杆
１４  駆動歯車
【図１】
2007130308.tif 000003
【図２】
2007130308.tif 000004
【図３】
2007130308.tif 000005
【図４】
2007130308.tif 000006
【図５】
2007130308.tif 000007
【図６】
2007130308.tif 000008
【図７】
2007130308.tif 000009
【図８】
2007130308.tif 000010
【図９】
2007130308.tif 000011
【図１０】
2007130308.tif 000012
【図１１】
2007130308.tif 000013